(57)【要約】【課題】非力な作業者でも、可動台の昇降作業をひとりで容易に行えるようにする。【解決手段】支柱で囲まれる空間内に栽培棚が配置され、その上方に照明装置が設けられた昇降可能な可動台３が位置する。可動台３を複数の高さ位置に位置決めする位置決め機構は、可動台３の対辺の両端部位置にそれぞれ設けられる軸体６と、各支柱の軸体６と対向する位置に設けられる支持板７とを含む。各支持板７には軸体６がスライド自由に係合する案内溝７０が形成されている。各案内溝７０は、複数段の横溝部７１と横溝部７１，７１間を連通させる縦溝部７２とを有し、各横溝部７１に軸体６を定位させる軸支部７５が設けられている。可動台３の対辺の一方の辺ａの側に位置する各支持板７と他方の辺ｂの側に位置する各支持板７とは、縦横の各溝部が線対称の配置となるようにそれぞれの案内溝７０が形成されている。【選択図】図８
2017153423.tif 000002
【特許請求の範囲】
【請求項１】
４隅に位置する支柱と、前記支柱で囲まれる空間内に配置される植物栽培のための栽培棚と、前記栽培棚の上方に位置する昇降可能な可動台と、前記可動台に設けられる照明装置とを備える植物栽培装置であって、
前記支柱と可動台との間に、可動台を複数の高さ位置に位置決めする位置決め機構が設けられており、前記位置決め機構は、可動台の対辺の両端部位置にそれぞれ設けられる軸体と、各支柱の前記軸体と対向する位置に設けられる支持板とを含み、各支持板には前記軸体がスライド自由に係合する案内ガイドが形成されており、
各案内ガイドは、複数段の横方向の第１ガイド部と第１ガイド部間を繋ぐ縦方向の第２ガイド部とを有し、各第１ガイド部は２個のガイド部が軸体を定位させる軸支部を挟んで連続しており、前記可動台の対辺の一方の辺の側に位置する各支持板と他方の辺の側に位置する各支持板とは、第１、第２の各ガイド部が線対称の配置となるようにそれぞれの案内ガイドが形成されている植物栽培装置。
【請求項２】
前記軸体は、可動台の対辺の両端部より突出した枠材の先端部に設けられている請求項１に記載の植物栽培装置。
【請求項３】
前記案内ガイドの各第１ガイド部は、軸支部が第２ガイド部の近傍に位置するものである請求項１に記載の植物栽培装置。
【請求項４】
前記案内ガイドの第２ガイド部は、上下の第１ガイド部の外端部間を繋ぐものである請求項１に記載の植物栽培装置。
【請求項５】
前記案内ガイドの第２ガイド部は、上下の第１ガイド部の内端部間を繋ぐものである請求項１に記載の植物栽培装置。
【請求項６】
前記案内ガイドの第２ガイド部は、上位置の第１ガイド部の一端部と下位置の第１ガイド部の中央部との間を繋ぐものである請求項１に記載の植物栽培装置。
【請求項７】
前記栽培棚は、複数個が同一面上に並びかつ上下多段に設けられており、栽培棚毎に栽培棚の上方位置に昇降可能な可動台が位置している請求項１に記載の植物栽培装置。
【発明の詳細な説明】
【技術分野】
【０００１】
この発明は、例えば植物工場の栽培室内で水耕栽培などの栽培方法を実施して植物を栽培するための植物栽培装置に関する。
【背景技術】
【０００２】
従来、その種の植物栽培装置は、栽培する植物が植設される複数の栽培棚が上下多段に設けられるとともに、各段の栽培棚の上方に植物に向けて光を照射するための照明装置が配置されている。各段の照明装置は、植物の成長を見越し、栽培棚に対して十分に距離をあけて位置決めされている。
【０００３】
植物が照明装置より取得する光のエネルギー（光量）は、照明装置との距離の二乗に反比例して弱くなるため、照明装置の設置位置を必要以上に高い位置に定めると、光量の無駄が多く、植物が取得する光エネルギー（光量）も減少し、光合成の速度低下を招き、植物の栽培効率が低下する。
【０００４】
照明装置の設置位置を必要以上に低い位置に定めると、光量の無駄が少なくなり、植物が取得する光エネルギー（光量）が増すが、植物の成長によって茎や葉が光源に当たって損傷し易く、商品価値を低下させるという問題がある。
【０００５】
上記の問題は、植物の成長とともに栽培棚に対する照明装置の高さを変更することにより解決できるものであり、出願人は先般、植物に対して照明装置が搭載された可動台を昇降可能とした植物栽培装置を提案した（例えば特許文献１参照）。
【０００６】
この植物栽培装置によると、植物の成長に合わせて可動台を移動させ、植物に対する照明装置の高さが最適となるよう位置決めできるので、植物に対する光の強さが高く維持され、光合成の速度低下が防止され、植物の栽培効率が向上する。
【０００７】
前記可動台を昇降させる昇降機構は、可動台の重心位置を挟む対称位置に設けられるナット部材と、ナット部材の上方位置に上端部が回動自由に支持された操作ハンドル付きの送りネジ棒とを含んでおり、可動台がナット部材にネジ込まれた前記送りネジ棒により昇降可能に支持されている。前記操作ハンドルを手操作して送りネジ棒を回すと、ナット部材がネジ送りされて可動台が昇降動作し、最適な高さ位置に照明装置を位置決めできる。
【先行技術文献】
【特許文献】
【０００８】
【特許文献１】特開２０１１−２０５９９１号公報
【発明の概要】
【発明が解決しようとする課題】
【０００９】
上記した昇降機構の場合、操作ハンドルを操作するとき、異物が飛散して植物上に降りかかるおそれがある。栽培している植物が野菜などの食物である場合、異物が混入すると商品価値が消失し、その野菜は出荷できなくなる。また、可動台を昇降するためのハンドル操作は、女性や高齢者などの非力な作業者にとってかなりの負担であり、作業者ひとりで可動台を簡単に昇降できる構成のものが要望されていた。
【００１０】
この発明は、上記の要望に応えるもので、非力な作業者であっても、ハンドル操作によらず、照明装置が設けられた可動台の昇降作業をひとりで容易に行うことができる植物栽培装置を提供することを目的とする。
【課題を解決するための手段】
【００１１】
この発明による植物栽培装置は、４隅に位置する支柱と、前記支柱で囲まれる空間内に配置される植物栽培のための栽培棚と、前記栽培棚の上方に位置する昇降可能な可動台と、前記可動台に設けられる照明装置とを備えたものであって、前記支柱と可動台との間に、可動台を複数の高さ位置に位置決めする位置決め機構が設けられている。前記位置決め機構は、可動台の対辺の両端部位置にそれぞれ設けられる軸体と、各支柱の前記軸体と対向する位置に設けられる支持板とを含んでいる。各支持板には前記軸体がスライド自由に係合する案内ガイドが形成されている。各案内ガイドは、複数段の横方向の第１ガイド部と第１ガイド部間を繋ぐ縦方向の第２ガイド部とを有し、各第１ガイド部は２個のガイド部が軸体を定位させる軸支部を挟んで連続している。前記可動台の対辺の一方の辺の側に位置する各支持板と他方の辺の側に位置する各支持板とは、第１、第２の各ガイド部が線対称の配置となるようにそれぞれの案内ガイドが形成されている。
【００１２】
この発明の上記した構成において、案内ガイドは典型的には溝により構成されるが、溝に限らず、レールなどの突条であってもよい。また、第１ガイド部を構成する２個のガイド部は少なくとも一方が傾斜していることが望ましいが、それに限られるものではない。
【００１３】
上記した構成の植物栽培装置において、栽培棚の上方に位置する可動台に照明装置が配備されているので、栽培棚上の植物に照明装置による光がほぼ真上から照射される。可動台は昇降可能であるので、植物の成長度合いに応じて可動台を移動させ、植物に対する照明装置の高さが最適となるように位置決めすることができる。可動台が水平な状態で定位するときは、支持板の案内ガイドに係合する各軸体は、同じ段の第１ガイド部に入り込み、軸支部の位置で支持されている。
【００１４】
例えば、可動台を下げるとき、作業者は可動台の対辺の一方の辺（以下「第１の辺」という。）の側に立ち、第１の辺の側の両端部の各軸体が、対応する各支持板の第１ガイド部から第２ガイド部に脱出するように、可動台を引き上げるかまたは押し上げると、他方の辺（以下「第２の辺」という。）の側では、両端部の各軸体が、対応する各支持板の第１ガイド部に深く入り込む。次に、第１ガイド部に深く入り込んだ各軸体を支点として可動台を下げると、可動台が傾動し、第１の辺の側において、第１ガイド部より脱出した各軸体が第２ガイド部をスライドして下段の第１ガイド部へ移動する。
【００１５】
次に、作業者は第２の辺の側に立ち、第２の辺の側の両端部の各軸体が、対応する各支持板の第１ガイド部から第２ガイド部に脱出するように可動台を引き上げるかまたは押し上げると、第１の辺の側では、両端部の各軸体が、対応する各支持板の第１ガイド部に深く入り込む。次に、第１ガイド部に深く入り込んだ各軸体を支点として可動台を下方へ回動すると、可動台が水平となり、第２の辺の側において、第１ガイド部より脱出した各軸体が第２ガイド部をスライドして下段の第１ガイド部へ移動する。
以上のようにして、各軸体を、対応する各支持板の第２ガイド部を経て上下の第１ガイド部間を移動させることにより可動台の高さを変更することができる。
【００１６】
この発明の一実施態様においては、前記軸体は、可動台の対辺の両端部より突出した枠材の先端部に設けられている。
【００１７】
この実施態様によると、軸体と支持板の案内ガイドとは可動台から離れた位置で係合するので、軸体が案内ガイドをスライドするときに、たとえ異物を発生させるようなことがあっても、異物は植物上に降りかかることがない。
【００１８】
この発明の好ましい実施態様においては、前記案内ガイド部の各第１ガイド部は、軸支部が第２ガイド部の近傍に位置するものである。この実施態様によれば、可動台の昇降が一層容易となる。
【００１９】
前記案内ガイドの第２ガイド部は、種々の態様のものが考えられる。ひとつの態様は、上下の第１ガイド部の外端部間を繋ぐものであり、他のひとつの態様は、上下の第１ガイド部の内端部間を繋ぐものであり、さらに他のひとつの態様は、上位置の第１ガイド部の一端部と下位置の第１ガイド部の中央部との間を繋ぐものである。
【００２０】
この発明による植物栽培装置は、栽培棚の上方位置に可動台を位置させるものであるが、好ましい実施態様の植物栽培装置においては、前記栽培棚は、複数個が同一面上に並びかつ上下多段に設けられており、栽培棚毎に栽培棚の上方位置に昇降可能な可動台が位置するものである。
【発明の効果】
【００２１】
この発明によれば、非力な作業者であっても、ハンドル操作によらず、照明装置が設けられた可動台の昇降作業をひとりで容易に行うことができる。
【図面の簡単な説明】
【００２２】
【図１】この発明の一実施例である植物栽培装置の全体構成を示す正面図である。
【図２】図１の植物栽培装置の可動台を上方より見た平面図である。
【図３】可動台が支持板により水平に支持された状態を拡大して示す正面図である。
【図４】可動台が支持板により水平に支持された状態を拡大して示す側面図である。
【図５】可動台が支持板により水平に支持された状態を拡大して示す平面図である。
【図６】軸体の固定状態を示す断面図である。
【図７】隣り合う２つの可動台を支持するための支持板の構成を示す平面図である。
【図８】支持板の案内溝の構成と軸体が案内溝の軸支部に支持された状態とを示す側面図である。
【図９】案内溝の他の例を示す側面図である。
【図１０】案内溝の他の例を示す側面図である。
【図１１】案内溝の他の例を示す側面図である。
【図１２】横溝部の他の例を拡大して示す側面図である。
【図１３】可動台を下方へ移動させるときの手順を示す側面図である。
【図１４】可動台を下方へ移動させるときの軸体と支持板の案内溝との係合状態の推移を示す説明図である。
【図１５】可動台を下方へ移動させるときの軸体と他の実施例の支持板の案内溝との係合状態を示す説明図である。
【発明を実施するための形態】
【００２３】
図１は、この発明の一実施例である植物栽培装置の全体の外観と構成とを示している。
図示例の植物栽培装置は、複数個（図示例では３個）の栽培棚１が同一面上に横並びに配置されるとともに、決められた上下間隔で複数段（図示例では３段）にわたってそれぞれ水平に設けられたものである。各栽培棚１上には、栽培対象の植物が植設された栽培槽１０が支持されている。各栽培棚１の上方には昇降可能な可動台３がそれぞれ位置している。栽培棚１および可動台３は、平面形状が矩形状であり、図２に示すように、支柱２により囲まれる平面視が矩形状の空間内に配置されている。なお、図２は一端部の栽培棚１および可動台３を示している。支柱２は角パイプ状であり、上下の組立枠２１，２２および中間枠２３により組み立てられており、それぞれの栽培棚１及び可動台３の４隅に位置している。各段の栽培棚１は４隅が各支柱２に固定され、各段の可動台３は各支柱２に取り付けられた支持板７にそれぞれ支持されている。支持板７は後述する位置決め機構５を構成するものである。
【００２４】
前記可動台３は、図２に示すように、前後の各枠材３１，３２と左右の各枠材３３，３４とで平面形状が矩形状に形成されている。なお、以下の説明では、栽培棚１が連なる方向を左右、左右の方向と直交する方向を前後という。図２に示す可動台３において、ａは矩形の前辺、ｂは前辺ａと相対する辺（対辺）である矩形の後辺、ｃ，ｄは矩形の側辺を示す。
【００２５】
各可動台３には、栽培槽１０に植設された植物に向けて光を照射するための照明装置４が配設されている。この実施例の照明装置４は、光が栽培棚１の上面の全体に照射されるように、前後の枠材３１，３２間に複数の長尺状の光源４０が等間隔に取り付けられたものである。各光源４０は、図３に示すように、合成樹脂製のケース体４１の内部に複数個の発光ダイオード（図示せず）が並べられたもので、ケース体４１の下面の開放部分より各発光ダイオードの光が下方に向けて投射される。なお、光源４０は長尺状のものに限定されるものではなく、また、発光ダイオードに代えて白熱電球などを用いてもよい。さらに、可動台３と可動台３に搭載される照明装置４は総重量が３０ｋｇ以下であることが好ましく、２０ｋｇ以下であることがより好ましい。
【００２６】
４本の支柱２と各可動台３との間には、図４〜図６に示すように、各可動台３を複数の高さ位置に段階的に位置決めする位置決め機構５が設けられている。各可動台３は、４隅位置において、それぞれ位置決め機構５を介して支柱２に水平姿勢で支持されている。なお、この実施例では、可動台３の自重を位置決め機構５の支持板７（後述する）で下方より支えているが、可動台３をバネなどで上向きに付勢し、バネ力を支持板７で上方より支える方式を採択することも可能であり、この場合は、後述する支持板７を上下反転して用いることになる。
【００２７】
各位置決め機構５は、可動台３の前辺ａおよび後辺ｂの両端部位置、すなわち、前後の枠材３１，３２の両端部位置にそれぞれ設けられる丸軸状の軸体６と、各支柱２の軸体６と対向する位置に設けられる支持板７とを含んでいる。この実施例では、軸体６を取り付けるために、左右の枠材３３，３４の両端部に断面Ｕ字型の枠材３５をそれぞれ接続しており、前側の枠材３５は先端部を前方へ突出させ、後側の枠材３５は先端部を後方へ突出させている。各枠材３５の先端部は支柱２の外側位置まで延びており、その先端部に軸体６の基端部がナット部材６１により固定されている。軸体６の先端部は側方へ突出し、軸体６と対向位置する支持板７の案内溝７０を貫通している。軸体６の先端部には円盤状の抜止め板６２がネジ部材６３により止着されている。
【００２８】
前記支持板７は、図５および図７に示すように、直角をなす支持板部７ａと取付板部７ｂとを一体に有し、取付板部７ｂは前側の支柱２に対しては前面側に、後側の支柱２に対しては後面側に、それぞれボルト７９により取り付けられている。なお、図５は側端部位置の支柱２に取り付けられる支持板７を、図７は中間位置の支柱２に取り付けられる支持板７を示しており、後者の支持板７には取付板部７ｂを挟んで一対の支持板部７ａ，７ａが形成されている。
【００２９】
図８は、支持板７の支持板部７ａに形成される案内溝７０の構成を示している。案内溝７０は前記軸体６の移動を案内するための案内ガイドの一実施形態であり、横方向の第１ガイド部を構成する複数段の横溝部７１と、横溝部７１，７１間を連通させる縦方向の第２ガイド部を構成する縦溝部７２とを有している。図中、右側の支持板７は可動台３の前辺ａの側に位置する支持板７であり、左側の支持板７は可動台３の後辺ｂの側に位置する支持板７である。可動台３の前辺ａの側に位置する各支持板７の案内溝７０と後辺ｂの側に位置する各支持板７の案内溝７０とは、縦横の各溝部７１，７２が線対称の配置となっている。すなわち、各支持板７は、可動台３の対辺ａ，ｂの同じ端部側に位置する各支持板７においては縦横の各溝部７１，７２が線対称の配置となり、一方、可動台３の同じ辺の両端部に位置する各支持板７において縦横の各溝部７１，７２が同一の配置となるように、それぞれの案内溝７０が形成されている。なお、上記の線対称の配置は、必ずしも物理的に全く同じ溝形態のものを配置することを意味しておらず、溝形態に差異はあるが機能が同じものを配置することを含むものである。
【００３０】
図８に示す実施例では、案内溝７０を構成する各段の横溝部７１は、逆傾斜で同じ傾斜角θ（例えばθ＝４５度）の２個のガイド部としての溝７３，７４と、溝７３，７４間に位置する軸支部７５とを含んでいる。溝７３，７４はＶ字状をなしており、Ｖ字の底部に当たる軸支部７５は軸体６を定位させるとともに、軸体６を安定した状態で支持する。各溝７３，７４の溝幅は軸体６の直径より大きな値に設定されている。溝７３，７４は軸支部７５を挟んで連通するもので、軸体６は横溝部７１にスライド自由である。一方の溝７３は軸支部７５と反対側の端部が行き止まりになっている。他方の溝７４は軸支部７５と反対側の端部が幅の広い広幅部７４ａとなっており、この広幅部７４ａを経て縦溝部７２と連通している。図示例のように、溝７３に対して溝７４の長さを短く設定する（望ましくは溝７３の長さの２分の１以下に設定する）ことで、軸支部７５を縦溝部７２の近傍に位置させると、可動台３の昇降が容易となる。
なお、溝７３，７４は、図１２（１）（２）に示すように、一方が傾斜し、他方が水平であってもよい。また、軸体６は、滑らかなスライドを実現するために、案内溝７０と係合する部分にローラを設けてもよい。
【００３１】
この実施例の縦溝部７２は最上段の横溝部７１から最下段の横溝部７１に至る一連のものである。縦溝部７２の溝幅は軸体６の直径より大きな値に設定されており、軸体６は縦溝部７２にスライド自由であり、また、縦溝部７２と各横溝部７１との間もスライド自由である。この実施例では、縦溝部７２は上下の横溝部７１の外端部間を連通させるものであるが、図９に示す実施例のように、上下の横溝部７１の内端部間を連通させるものであってもよい。さらに、縦溝部７２は上から下まで一連のものである必要はなく、図１０および図１１に示す実施例のように、上位置の横溝部７１の外端部または内端部と下位置の横溝部７１の中央部との間を連通させるものであってもよい。この実施例では、縦溝部７２は一連でないので、可動台３が落下するのを防止する効果がある。なお、図１０および図１１の実施例では、溝７３，７４の傾斜角θは上記の各実施例のものより小さな値（例えばθ＝３０度）に設定している。
【００３２】
上記した構成の植物栽培装置において、各栽培棚１の上方に可動台３がそれぞれ位置し、各可動台３に照明装置4がそれぞれ配備されているので、各栽培棚1上の栽培槽１０に植えられた植物に対して照明装置４による光がほぼ真上から照射される。各可動台３は昇降可能であるので、植物の成長度合いに応じて各可動台３を個別に移動させることができ、栽培棚１毎に植物に対する照明装置４の高さが最適となるように可動台３を位置決めする。
【００３３】
図１３（１）に示されるように、可動台３が水平な状態で定位するときは、可動台３の４隅位置において、各支持板７の案内溝７０に係合する各軸体６は、図８に示すように、同じ段の横溝部７１に入り込み、軸支部７５の位置で支持されている。例えば可動台３を下げるときは、図１３（２）に示すように、例えば可動台３の後辺ｂの側を横溝部７１の一段分だけ引き下げて可動台３を傾けた後、次に、図１３（３）に示すように、可動台３の前辺ａの側を横溝部７１の一段分だけ引き下げて水平な状態とする。
なお、可動台３を上げるときも同様であり、図示していないが、可動台３の前辺ａまたは後辺ｂの側を横溝部７１の一段分だけ引き上げて可動台３を傾けた後、次に、可動台３の他辺の側を横溝部７１の一段分だけ引き上げて水平な状態とする。
【００３４】
図１４（１）〜（７）は、図１３のように可動台３を下げるときの各軸体６と、対応する各支持板７の案内溝７０との係合状態の推移を模型的に示している。図中、右側の案内溝７０Ａは可動台３の前辺ａの側に位置する支持板７の案内溝であり、左側の案内溝７０Ｂは可動台３の後辺ｂの側に位置する支持板７の案内溝であり、左右の案内溝７０は縦横の各溝部７１，７２が線対称の配置となっている。
なお、図１４および図１５では、前側の構成各部には符号Ａを付記し、後側の構成各部には符号Ｂを付記している。
【００３５】
図１４（１）では、可動台３の前辺ａの側および後辺ｂの側において、両端部の各軸体６Ａ，６Ｂは、対応する各支持板７の案内溝７０Ａ，７０Ｂ内において、同じ段の横溝部７１Ａ，７１Ｂに入り込み、軸支部７５Ａ，７５Ｂの位置で支持されている。
【００３６】
図示例では、作業者はまず、可動台３の後辺ｂの側に立ち、後辺ｂの側の両端部の各軸体６Ｂが、対応する各支持板７の横溝部７１Ｂから縦溝部７２Ｂに脱出するように可動台３を斜め上方へ引き上げる。これにより、対辺の前辺ａの側では両端部の各軸体６Ａが、対応する各支持板７の横溝部７１Ａに深く入り込む（図１４(２)参照）。
【００３７】
次に、各支持板７の横溝部７１Ａに深く入り込んだ各軸体６Ａを支点として可動台３を下方へ回動させると、可動台３が傾動し、後辺ｂの側において、各支持板７の横溝部７１Ｂより脱出した各軸体６Ｂが縦溝部７２Ｂをスライドして下段の横溝部７１Ｂの近辺へ移動する（図１４（３）参照）。
【００３８】
次に、可動台３を斜め下方へ押し下げると、後辺ｂの側では各軸体６Ｂが、対応する支持板７の横溝部７１Ｂへ入り込み、前辺ａの側では各軸体６Ａが、対応する各支持板７の横溝部７１Ａを移動して軸支部７５Ａの近傍に達する（図１４（４）参照）。
【００３９】
次に、作業者は前辺ａの側に立ち、可動台３を前辺ａの側の両端部の各軸体６Ａが、対応する支持板７の横溝部７１Ａから縦溝部７２Ａに脱出するように斜め上方へ引き上げると、後辺ｂの側では両端部の各軸体６Ｂが、対応する支持板７の横溝部７１Ｂに深く入り込む（図１４（５）参照）。
【００４０】
次に、横溝部７１Ａに深く入り込んだ各軸体６を支点として可動台３を下方へ回動させると、可動台３が水平となり、前辺ａの側において、横溝部７１Ａより脱出した各軸体６Ａが縦溝部７２Ａをスライドして下段の横溝部７１Ａへ移動する（図１４（６）参照）。
【００４１】
次に、可動台３を斜め下方へ押し下げると、前辺ａの側では各軸体６Ａが、対応する支持板７の横溝部７１Ａへ入り込み、後辺ｂの側では各軸体６Ｂが、対応する支持板７の横溝部７１Ｂを移動して軸支部７５Ｂに達して支持される（図１４（７）参照）。
以上のようにして、各軸体６Ａ，６Ｂを各支持板７の縦溝部７２Ａ，７２Ｂを経て上下の横溝部７１Ａ，７１Ａ間および７１Ｂ，７１Ｂ間を移動させることにより可動台３の高さを変更することができる。
【００４２】
なお、可動台３の前辺ａの側および後辺ｂの側に位置する支持板７の案内溝７０が図９に示す形態のものでは、図１５に示すように、作業者はまず、後辺ｂの側の両端部の各軸体６Ｂが、対応する各支持板７の横溝部７１Ｂから縦溝部７２Ｂに脱出するように可動台３を斜め上方へ押し上げることになり、以下、上記と同様の手順を実行して、可動台３の高さを変更する。
【００４３】
また、可動台３の前辺ａの側および後辺ｂの側に位置する支持板７の案内溝７０が図１０および図１１に示す形態のものについても同様であり、作業者はまず、前辺ａまたは後辺ｂの側の両端部の各軸体６が、対応する各支持板７の横溝部７１から縦溝部７２に脱出するように可動台３を斜め上方へ引き上げるか、または押し上げることになり、以下、上記と同様の手順を実行して、可動台３の高さを変更する。
【符号の説明】
【００４４】
１    栽培棚
２    支柱
３    可動台
４    照明装置
５    位置決め機構
６    軸体
７    支持板
３５  枠材
７０  案内溝（案内ガイド）
７１  横溝部（第１ガイド部）
７２  縦溝部（第２ガイド部）
７３，７４  溝（ガイド部）
７５  軸支部
【図１】
2017153423.tif 000003
【図２】
2017153423.tif 000004
【図３】
2017153423.tif 000005
【図４】
2017153423.tif 000006
【図５】
2017153423.tif 000007
【図６】
2017153423.tif 000008
【図７】
2017153423.tif 000009
【図８】
2017153423.tif 000010
【図９】
2017153423.tif 000011
【図１０】
2017153423.tif 000012
【図１１】
2017153423.tif 000013
【図１２】
2017153423.tif 000014
【図１３】
2017153423.tif 000015
【図１４】
2017153423.tif 000016
【図１５】
2017153423.tif 000017
【手続補正書】
【提出日】平成29年4月12日(2017.4.12)
【手続補正１】
【補正対象書類名】特許請求の範囲
【補正対象項目名】請求項３
【補正方法】変更
【補正の内容】
【請求項３】
前記案内ガイドの各第１ガイド部は、第１ガイド部を構成する前記２個のガイド部のうち、第２ガイド部と連通する一方のガイド部の長さを、前記軸支部を挟んで前記一方のガイド部と連続する他方のガイド部の長さの２分の１以下に設定することにより、軸支部が第２ガイド部の近傍に位置するものである請求項１に記載の植物栽培装置。
【手続補正２】
【補正対象書類名】明細書
【補正対象項目名】００１８
【補正方法】変更
【補正の内容】
【００１８】
この発明の好ましい実施態様においては、前記案内ガイドの各第１ガイド部は、第１ガイド部を構成する前記２個のガイド部のうち、第２ガイド部と連通する側の一方のガイド部の長さを、前記軸支部を挟んで前記一方のガイド部と連続する他方のガイド部の長さの２分の１以下に設定することにより、軸支部が第２ガイド部の近傍に位置するものである。この実施態様によれば、可動台の昇降が一層容易となる。